(57)【要約】【課題】マネキンの姿勢の微調整が容易にでき、スムーズにマネキンの高さを変えて、簡単な操作でマネキンの位置をしっかり固定することができるマネキン支持装置を提供する。【解決手段】マネキン支持装置１は、マネキンの胴体部分を支持して当該マネキン１００を浮かせた状態で自立させるものであり、マネキン１００の胴体部分を固定するための部材であって、マネキン１００にねじ込まれる六角ボルトを通すための１つ以上の楕円形ボルト挿通孔５２と、１つ以上の楕円形ボルト挿通孔５２の延長線上に設けられた単一の楕円形孔５３と、を有するマネキン取付部材５０と、板状に形成された台座１０と、台座１０の上面側に設けられた円筒支柱２０と、円筒支柱２０によって支持され、マネキン取付部材５０が設けられたベース部材４０と、を備える。【選択図】図１
0003212630.tif 000002
【実用新案登録請求の範囲】
【請求項１】
マネキンの胴体部分を支持して当該マネキンを浮かせた状態で自立させるマネキン支持装置であって、
前記マネキンの胴体部分を固定するための部材であって、前記マネキンにねじ込まれる六角ボルトを通すための１つ以上の楕円形ボルト挿通孔と、前記１つ以上の楕円形ボルト挿通孔の延長線上に設けられた単一の楕円形孔と、を有するマネキン取付部材と、
板状に形成された台座と、
前記台座の上面側に設けられた円筒支柱と、
前記円筒支柱によって支持され、前記マネキン取付部材が設けられたベース部材と、
を備えたマネキン支持装置。
【請求項２】
前記円筒支柱に挿入される棒状の部材であって、前記円筒支柱に挿入される側の反対側に前記ベース部材が設けられたエアダンパー部材と、
前記円筒支柱の上端部に設けられ、ユーザによるレバーの上下操作によって、エアダンパー部材の固定又は解除が可能なジョイント固定解除部材と、
をさらに備えた請求項１に記載のマネキン支持装置。
【考案の詳細な説明】
【技術分野】
【０００１】
本考案は、マネキン支持装置に関する。
【背景技術】
【０００２】
マネキンは、リフトアップベースと呼ばれる支持装置によって、その背中から支持される。リフトアップベースは、ユーザ（例えば、被服販売店の店員）が大きな力を用いることなく、マネキンの姿勢を維持したまま、当該マネキンを上下方向にスライドさせることができる。
【０００３】
ユーザは、商品である被服をマネキンに着せる場合には、マネキンを上方向にスライドさせて、ズボン、靴下、靴を着用させて、その後、マネキンを下方向に元の位置までスライドさせる。これにより、ユーザは、容易にマネキンの被服を着替えさせることができる。
【０００４】
また、従来、マネキン人形を、胴の部分を支持して任意の姿勢に保持する角度固定機構付マネキン支持スタンドが開示されている（特許文献１参照）。
【０００５】
特許文献１のマネキン支持スタンドは、マネキン人形支持部を保持するシャフトである中軸に、自在に角度を選んで固定するためのジョイントを、互いに直角をなす向きで縦に連設し、ベース板に立設したマネキン支持スタンドの支柱である外軸内に、摺動自在、且つ、回動自在に嵌入し、押しネジで係止する構成である。
【０００６】
すなわち、角度固定ジョイントは、前述のように、前後、左右への傾斜及び方向が別個に固定できる２軸構成となる。これにより、特許文献１のマネキン支持スタンドは、マネキンを如何なる向きでも確実な角度を固定することができる。
【０００７】
さらに、特許文献１のマネキン支持スタンドでは、マネキンの高さを変えるために、シャフトが上下方向にスライド可能になっている。そして、シャフトの下部は、ベース板に立設された支柱１３内に押しネジ１４で係止されている。
【先行技術文献】
【特許文献】
【０００８】
【特許文献１】特開２０１６−２１４７９９号公報
【考案の概要】
【考案が解決しようとする課題】
【０００９】
従来のリフトアップベースでは、マネキンの接合部分のわずかな傾きでマネキン全体が傾いてしまい、商品価値が下がる場合があった。また、マネキンは手作りであるため、マネキンの取り付け金具に微妙な個体差があり、同じ姿勢を保証できないため、マネキンの姿勢を微調整する必要がある。しかし、従来のリフトアップベースでは、マネキンの姿勢を容易に微調整できない問題があった。
【００１０】
一方、特許文献１では、シャフトの下部が、ベース板に立設された支柱内に押しネジ１４で係止されている。
マネキンを持ち上げて被服の着替えを行う際には、マネキンの揺れは極力少ない方がよい。しかし、押しネジの経年変化によって劣化・故障が発生するため、マネキンの揺れを抑えるには限界があった。
【００１１】
さらに、支柱の中には、反発力を利用してマネキンを持ち上げるためのバネが入っている。バネは品質のばらつきがあり、また、経年変化で反発力が減衰するという問題がある。さらに、バネが伸縮する際に、バネが支柱に擦れて引き起こす音がユーザに不快感を与えることがあった。
【００１２】
本考案は、このような実情を鑑みて提案されたものであり、マネキンの姿勢の微調整が容易にでき、スムーズにマネキンの高さを変えて、簡単な操作でマネキンの位置をしっかり固定することができるマネキン支持装置を提供することを目的とする。
【課題を解決するための手段】
【００１３】
上述した課題を解決するため、本考案に係るマネキン支持装置は、マネキンの胴体部分を支持して当該マネキンを浮かせた状態で自立させるマネキン支持装置であって、前記マネキンの胴体部分を固定するための部材であって、前記マネキンにねじ込まれる六角ボルトを通すための１つ以上の楕円形ボルト挿通孔と、前記１つ以上の楕円形ボルト挿通孔の延長線上に設けられた単一の楕円形孔と、を有するマネキン取付部材と、板状に形成された台座と、前記台座の上面側に設けられた円筒支柱と、前記円筒支柱によって支持され、前記マネキン取付部材が設けられたベース部材と、を備える。
【００１４】
本考案に係るマネキン支持装置は、さらに、前記円筒支柱に挿入される棒状の部材であって、前記円筒支柱に挿入される側の反対側に前記ベース部材が設けられたエアダンパー部材と、前記円筒支柱の上端部に設けられ、ユーザによるレバーの上下操作によって、エアダンパー部材の固定又は解除が可能なジョイント固定解除部材と、を備えてもよい。
【考案の効果】
【００１５】
本考案に係るマネキン支持装置は、マネキンを取り付けた後であっても、容易にマネキンの姿勢を調整することができる。また、マネキン支持装置は、スムーズにマネキンの高さを変えて、簡単な操作でマネキンの位置をしっかり固定することができる。
【図面の簡単な説明】
【００１６】
【図１】本考案に係るマネキン支持装置の全体構成を示す側面図である。
【図２】マネキン取付部材の正面側からみた要部斜視図である。
【図３】マネキン取付部材の背面側からみた要部斜視図である。
【考案を実施するための形態】
【００１７】
以下、本考案の一実施形態について図面を参照しながら詳細に説明する。
図１は、本考案に係るマネキン支持装置１の全体構成を示す側面図である。マネキン支持装置１は、マネキン１００の胴体部分を支持して、当該マネキン１００を浮かせた状態で自立させるものである。
【００１８】
マネキン支持装置１は、台座１０と、円筒支柱２０と、エアダンパー３０と、ベース部材４０と、マネキン取付部材５０と、を備えている。
【００１９】
台座１０は、板状に形成された部材であり、床面に直接配置される。
円筒支柱２０は、円筒状に形成された部材であり、台座１０の法線方向に沿って、台座１０の上面側に固定されている。
【００２０】
エアダンパー部材３０は、円筒支柱２０の内部に挿入可能な棒状に形成された部材である。エアダンパー部材３０は、高圧空気による弾性力によって長手方向に伸縮可能に構成されている。エアダンパー部材３０は、円筒支柱２０に対してスライド可能であり、円筒支柱２０に対する任意の位置（高さ）に、後述するジョイント固定解除部材２１によって固定される。
【００２１】
円筒支柱２０の上端部には、前述のジョイント固定解除部材２１が設けられている。ジョイント固定解除部材２１は、ユーザによるレバーの上下操作に応じて、円筒支柱２０の外側からエアダンパー部材３０を締め付けたり緩めたり（固定解除）して、円筒支柱２０に対するエアダンパー部材３０の固定位置（マネキン１００の高さ）を調整可能にする。
【００２２】
従来は、押しネジによって、マネキン１００の高さが調整されていた。このため、押しネジの締め付け不足が発生することが多く、マネキン１００が動いてしまって、被服を容易に着脱できない問題があった。
【００２３】
これに対して、マネキン支持装置１は、押しネジの代わりにジョイント固定解除部材２１を用いている。これにより、ユーザは、レバーの上下操作のみの簡単な操作で、円筒支柱２０に対するエアダンパー部材３０の高さを確実に固定することができ、マネキン１００に対する被服の着脱を容易に行うことができる。
【００２４】
また、押しネジの代わりにジョイント固定解除部材２１を用いることにより、パイプ（本実施形態ではエアダンパー部材３０）との接触部分が点から線又は面になるので、接触面積が増え、安定したストッパー機能を発揮することができる。
【００２５】
マネキン支持装置１は、従来使用されていた巻きバネの代わりに、エアダンパー部材３０を使用している。これにより、ダンパー部分の長さが短くなり、商品以外が目立つことを防ぐことが可能になる。また、ユーザは、巻きバネが使用された場合よりも、スムーズにマネキン１００を持ち上げたり、マネキン１００を元の高さに戻したりすることができる。
【００２６】
ベース部材４０は、エアダンパー部材３０の上部に固定された棒状部材である。ベース部材４０の上部には、マネキン取付部材５０が固定されている。
【００２７】
ここで、ベース部材４０が仮に直線状に形成された場合、マネキン１００が円筒支柱２０に接近しすぎになり、マネキン１００に対する被服の着脱が困難になるおそれがある。そのため、ベース部材４０は、２カ所の屈曲部を有し、円筒支柱２０からマネキン１００までの間を適切な距離にしている。但し、ベース部材４０の形状は特に限定されるものではない。
【００２８】
図２は、マネキン取付部材５０の正面側からみた要部斜視図である。図３は、マネキン取付部材の背面側からみた要部斜視図である。
【００２９】
マネキン取付部材５０は、マネキン１００の胴体部分を固定するための部材である。マネキン取付部材５０は、マネキン１００の胴体背中側に形成された孔部に挿入される突起部５１と、マネキン１００にねじ込まれる六角ボルトを通すための楕円形ボルト挿通孔５２と、各楕円形ボルト挿通孔５２の延長線上に設けられた単一の楕円形孔５３と、を有する。
【００３０】
マネキン支持装置１にマネキン１００を取り付ける際には、マネキン取付部材５０の突起部５１がマネキン１００の胴体背中側の孔部に挿入され、さらに、六角ボルトが楕円形ボルト挿通孔５２を通ってマネキン１００にねじ込まれる。
【００３１】
そして、例えばマネキン１００及びマネキン支持装置１の出荷時のように、マネキン１００の姿勢を微調整したい場合には、ユーザは、楕円形孔５３内のフリー領域を通して工具を使用し、正しい姿勢で楕円形ボルト挿通孔５２に六角ボルトがねじ込まれることでマネキン１００の姿勢が微調整される。
【００３２】
なお、本考案は、上述した実施形態に限定されるものではなく、実用新案登録請求の範囲に記載された事項の範囲内で設計変更されたものにも適用可能である。
【符号の説明】
【００３３】
１  マネキン支持装置
１０  台座
２０  円筒支柱
２１  ジョイント固定解除部材
３０  エアダンパー部材
４０  ベース部材
５０  マネキン取付部材
５１  突起部
５２  楕円形ボルト挿通孔
５３  楕円形孔
【図１】
0003212630.tif 000003
【図２】
0003212630.tif 000004
【図３】
0003212630.tif 000005